(57)【要約】【課題】疎水性及び通気性を確保しつつ容器の開口部を簡便に塞ぐことができる蓋体、及びそのような蓋体を支持する蓋体支持ユニットを提供する。【解決手段】蓋体１は疎水性及び通気性を有する膜状の蓋部２と、蓋部２の形状を保持する保持部材４と、を備える。【選択図】図１
2016169039.tif 000002
【特許請求の範囲】
【請求項１】
疎水性及び通気性を有する膜状の蓋部と、
前記蓋部の形状を保持する保持部材と、を備える、蓋体。
【請求項２】
前記保持部材は、前記蓋部の外縁に沿った環状の形状を有する、請求項１記載の蓋体。
【請求項３】
前記保持部材における前記蓋部側の表面に設けられた第１粘着層と、
前記保持部材における前記蓋部の反対側の表面に設けられ、前記第１粘着層よりも弱い粘着性を有する第２粘着層と、を更に備える、請求項１又は２記載の蓋体。
【請求項４】
前記蓋部と一体的に形成され、前記蓋部から突出した膜状の把持部を更に備える、請求項１〜３のいずれか一項記載の蓋体。
【請求項５】
請求項１〜４のいずれか一項記載の複数の蓋体と、
２次元に配置された前記蓋体を支持するシートと、を備える、蓋体支持ユニット。
【発明の詳細な説明】
【技術分野】
【０００１】
本発明は、例えば試験管等の容器の開口部を塞ぐための蓋体、及びそのような蓋体を支持する蓋体支持ユニットに関する。
【背景技術】
【０００２】
藻類の生体微弱発光（遅延発光）を利用して、化学物質が環境に与える影響を迅速に評価し得る試験法として、藻類発光阻害試験法の開発が進められている（例えば、特許文献１〜３参照）。藻類発光阻害試験法では、藻類を含む溶液を収容する光透過性の容器（例えば、試験管等）が試料として用いられる。
【先行技術文献】
【特許文献】
【０００３】
【特許文献１】特許第５５８８４５７号公報
【特許文献２】特許第４８１３２０６号公報
【特許文献３】特許第４６９９２１４号公報
【発明の概要】
【発明が解決しようとする課題】
【０００４】
上述したような試料については、疎水性及び通気性を確保しつつ容器の開口部を塞ぐ必要があるが、容器の開口部を簡便に塞ぐ手段が存在しなかった。
【０００５】
そこで、本発明は、疎水性及び通気性を確保しつつ容器の開口部を簡便に塞ぐことができる蓋体、及びそのような蓋体を支持する蓋体支持ユニットを提供することを目的とする。
【課題を解決するための手段】
【０００６】
本発明の蓋体は、疎水性及び通気性を有する膜状の蓋部と、蓋部の形状を保持する保持部材と、を備える。
【０００７】
この蓋体では、疎水性及び通気性を有する膜状の蓋部の形状が保持部材によって保持される。そのため、例えば膜状の蓋部が折れ曲がるような事態を防止して、容器の開口部を容易に且つ確実に塞ぐことができる。よって、この蓋体によれば、疎水性及び通気性を確保しつつ容器の開口部を簡便に塞ぐことができる。
【０００８】
本発明の蓋体では、保持部材は、蓋部の外縁に沿った環状の形状を有してもよい。この構成によれば、膜状の蓋部の形状を十分に保持しながら、膜状の蓋部における保持部材の内側の領域を、疎水性及び通気性を有する領域として十分に利用することができる。
【０００９】
本発明の蓋体は、保持部材における蓋部側の表面に設けられた第１粘着層と、保持部材における蓋部の反対側の表面に設けられ、第１粘着層よりも弱い粘着性を有する第２粘着層と、を更に備えてもよい。この構成によれば、容器の開口部に第２粘着層を当接させることで、容器の開口部に蓋体を容易に取り付けることができる。更に、保持部材と蓋部との間に設けられた第１粘着層の粘着性よりも第２粘着層の粘着性が弱いため、保持部材と蓋部との分離を抑制しつつ、容器の開口部から蓋体を容易に取り外すことができる。
【００１０】
本発明の蓋体は、蓋部と一体的に形成され、蓋部から突出した膜状の把持部を更に備えてもよい。この構成によれば、把持部を用いることで、蓋部の汚染を抑制しつつ、容器の開口部に蓋体を容易に取り付けることができる。更に、把持部を用いることで、容器の開口部から蓋体を容易に取り外すことができる。
【００１１】
本発明の蓋体支持ユニットは、上述した複数の蓋体と、２次元に配置された蓋体を支持するシートと、を備える。
【００１２】
この蓋体支持ユニットによれば、蓋体の使用前に複数の蓋体を同時に取り扱うことができる。
【発明の効果】
【００１３】
本発明によれば、疎水性及び通気性を確保しつつ容器の開口部を簡便に塞ぐことができる蓋体、及びそのような蓋体を支持する蓋体支持ユニットを提供することが可能となる。
【図面の簡単な説明】
【００１４】
【図１】本発明の一実施形態の蓋体の断面図である。
【図２】図１の蓋体の平面図である。
【図３】図１の蓋体の底面図である。
【図４】本発明の一実施形態の蓋体支持ユニットの平面図である。
【図５】本発明の一実施形態の蓋体の第１変形例を示す図である。
【図６】本発明の一実施形態の蓋体の第２変形例を示す図である。
【図７】本発明の一実施形態の蓋体の第３変形例を示す図である。
【図８】本発明の一実施形態の蓋体の第４変形例を示す図である。
【図９】本発明の一実施形態の蓋体の第５変形例を示す図である。
【図１０】本発明の一実施形態の蓋体の第６変形例を示す図である。
【図１１】本発明の一実施形態の蓋体の第７変形例を示す図である。
【図１２】本発明の一実施形態の蓋体の第８変形例を示す図である。
【図１３】本発明の一実施形態の蓋体の第９変形例を示す図である。
【図１４】本発明の一実施形態の蓋体の第１０変形例を示す図である。
【図１５】本発明の一実施形態の蓋体の第１１変形例を示す図である。
【図１６】本発明の一実施形態の蓋体の第１２変形例を示す図である。
【図１７】本発明の一実施形態の蓋体の第１３変形例を示す図である。
【図１８】本発明の一実施形態の蓋体の第１４変形例を示す図である。
【図１９】本発明の一実施形態の蓋体の第１５変形例を示す図である。
【図２０】本発明の一実施形態の蓋体の第１６変形例を示す図である。
【図２１】本発明の一実施形態の蓋体の第１７変形例を示す図である。
【図２２】本発明の一実施形態の蓋体の第１８変形例を示す図である。
【図２３】本発明の一実施形態の蓋体の第１９変形例を示す図である。
【図２４】本発明の一実施形態の蓋体の第２０変形例を示す図である。
【図２５】本発明の一実施形態の蓋体の第２１変形例を示す図である。
【図２６】本発明の一実施形態の蓋体の第２２変形例を示す図である。
【図２７】本発明の一実施形態の蓋体の第２３変形例を示す図である。
【図２８】本発明の一実施形態の蓋体の第２４変形例を示す図である。
【発明を実施するための形態】
【００１５】
以下、本発明の実施形態について、図面を参照して詳細に説明する。なお、各図において同一又は相当部分には同一符号を付し、重複する説明を省略する。
【００１６】
図１に示されるように、蓋体１は、蓋部２と、把持部３と、保持部材４と、第１粘着層５と、第２粘着層６と、を備えている。蓋体１は、容器Ｔの開口部を塞ぐために用いられる。容器Ｔは、例えば、藻類を含む溶液を収容する光透過性の試験管である。このような試験管は、例えば、藻類発光阻害試験法において試料として用いられる。なお、容器Ｔには、藻類を含む溶液に限定されず、光合成を行う生物、若しくはその一部、又は細胞を含む溶液が収容される。
【００１７】
図１、図２及び図３に示されるように、蓋部２及び把持部３は、疎水性及び通気性を有する膜状の部材によって一体的に形成されている。蓋部２は、容器Ｔの開口部の形状に合うように、例えば外径２５ｍｍの円形状に形成されている。把持部３は、蓋部２の外縁２ａの一部から突出するように、例えば突出長さ４ｍｍ程度の矩形状に形成されている。疎水性及び通気性を有する膜状の部材としては、例えば、住友電工ファインポリマー株式会社製のポアフロンメンブレンＦＰ−０４５−８０（材料：ＰＴＦＥ（四フッ化エチレン樹脂）、孔径：０．４５μｍ、厚さ：８０μｍ）を用いることができる。同製品は、耐薬品性を有しており、酸・アルカリ・溶剤に対して安定している。また、同製品は、２６０℃までの耐熱性を有しており、オートクレーブしても除菌性能に問題がなく（バクテリアチャレンジテスト）、ＥＯＧ滅菌が可能である。
【００１８】
保持部材４は、蓋部２の形状を保持する部材である。保持部材４は、蓋部２の外縁２ａに沿った環状の形状を有している。より具体的には、保持部材４は、蓋部２の外縁２ａに沿うように、外径２５ｍｍ、内径２１ｍｍの円環形状に形成されている。保持部材４としては、例えば、厚さ１００μｍの透明ＰＥＴ基材を用いることができる。保持部材４は、蓋部２の外縁２ａに位置する保持部材４の一部を固定部として蓋体１を水平に支持した場合に、蓋体１の自重で蓋部２が折れ曲がらない程度（蓋部２が湾曲するなど、蓋部２が撓む程度は除く）に蓋部２の形状を保持することができる構造（すなわち、材料、形状等）を有している。なお、保持部材４は、把持部３に至っておらず、把持部３の形状を保持していない。
【００１９】
なお、蓋部２及び把持部３を構成する膜状の部材（すなわち、疎水性及び通気性を有する膜状の部材）としては、濡れ角（接触角）が９０度よりも大きく且つ曲げ応力が５５Ｍｐａ以下の部材を用い、保持部材４としては、曲げ応力が５５Ｍｐａよりも大きい部材を用いることが好ましい。更に、蓋部２及び把持部３を構成する膜状の部材としては、濡れ角が９０度よりも大きく且つ曲げ応力が３５Ｍｐａ以下の部材を用い、保持部材４としては、曲げ応力が７０Ｍｐａよりも大きい部材を用いることがより好ましい。蓋部２及び把持部３を構成する膜状の部材として、ＰＴＦＥからなる部材を用い、保持部材４として、ＰＥＴからなる部材を用いると、以上の条件を満たす。
【００２０】
第１粘着層５は、保持部材４における蓋部２側の表面４ａに設けられており、蓋部２に保持部材４を固定する機能を有している。第２粘着層６は、保持部材４における蓋部２の反対側の表面４ｂに設けられており、容器Ｔの開口部に蓋体１を固定する機能を有している。第２粘着層６は、第１粘着層５よりも弱い粘着性を有しており、再剥離性を有している。第１粘着層５及び第２粘着層６としては、例えば、トーヨーケム株式会社製のダブルフェースＤＦ８３８５（両面テープ、厚さ９７μｍ）を用いることができる。同製品は、耐熱性を有しており、藻類発光阻害試験法において緑藻への生長阻害がない。
【００２１】
以上のように構成された蓋体１は、使用前には、図４に示されるように、蓋体支持ユニット１０として取り扱われる。蓋体支持ユニット１０は、複数の蓋体１と、複数の蓋体１を支持するシート１１と、を備えている。複数の蓋体１は、２次元に（例えば、５行４列のマトリックス状に）配置された状態で、第２粘着層６によってシート１１上に固定されている。蓋体支持ユニット１０は、複数枚（例えば１００枚）ごとに滅菌専用袋に収容され、シール封止（ＥＯＧ滅菌）される。なお、シート１１において、蓋体１の保持部材４の内側の領域に対向する部分には、穴１１ａが形成されている。
【００２２】
以上、説明したように、蓋体１では、疎水性及び通気性を有する膜状の蓋部２の形状が保持部材４によって保持される。そのため、例えば膜状の蓋部２が折れ曲がるような事態を防止して、容器Ｔの開口部を容易に且つ確実に塞ぐことができる。よって、蓋体１によれば、疎水性及び通気性を確保しつつ容器Ｔの開口部を簡便に塞ぐことができる。
【００２３】
また、蓋体１によれば、容器Ｔの開口部に対する蓋体１の密着性を強くしつつ、容器Ｔの開口部において蓋部２に皺が寄るのを防止することができる。
【００２４】
また、蓋体１では、保持部材４が蓋部２の外縁２ａに沿った環状の形状を有している。この構成によれば、膜状の蓋部２の形状を十分に保持しながら、膜状の蓋部２における保持部材４の内側の領域を、疎水性及び通気性を有する領域として十分に利用することができる。
【００２５】
また、蓋体１では、保持部材４における蓋部２側の表面４ａに第１粘着層５が設けられており、保持部材４における蓋部２の反対側の表面４ｂに、第１粘着層５よりも弱い粘着性を有する第２粘着層６が設けられている。この構成によれば、容器Ｔの開口部に第２粘着層６を当接させることで、容器Ｔの開口部に蓋体１を容易に取り付けることができる。更に、保持部材４と蓋部２との間に設けられた第１粘着層５の粘着性よりも第２粘着層６の粘着性が弱いため、保持部材４と蓋部２との分離を抑制しつつ、容器Ｔの開口部から蓋体１を容易に取り外すことができる。
【００２６】
また、蓋体１では、蓋部２に把持部３が一体的に形成されている。この構成によれば、把持部３を用いることで、蓋部２の汚染を抑制しつつ、容器Ｔの開口部に蓋体１を容易に取り付けることができる。更に、把持部３を用いることで、容器Ｔの開口部から蓋体１を容易に取り外すことができる。なお、保持部材４は、把持部３に至っておらず、把持部３の形状を保持していないため、容器Ｔの開口部に蓋体１を取り付けた状態において、邪魔にならないように把持部３を折り曲げることができる。
【００２７】
また、蓋体支持ユニット１０によれば、蓋体１の使用前に複数の蓋体１を同時に取り扱うことができる。
【００２８】
以上、本発明の一実施形態について説明したが、本発明は、上記実施形態に限定されるものではない。例えば、蓋体１に把持部３が設けられる場合、把持部３は、１つに限定されず、複数設けられてもよい。図５に示される蓋体１では、一対の把持部３が、蓋部２を挟んで互いに対向した状態で、蓋部２と一体的に形成されている。なお、図５において、（ａ）は正面図、（ｂ）は左側面図、（ｃ）は右側面図、（ｄ）は平面図、（ｅ）は底面図、（ｆ）は背面図、（ｇ）はＡ−Ａ断面図である。これは、以下の図６〜２８においても同様である。ただし、図１〜３では、図５〜２８の（ａ）に相当する図を平面図とし、図５〜２８の（ｆ）に相当する図を底面図とした。
【００２９】
また、保持部材４は、上述した形状に限定されず、様々な形状をとることができる。図６に示される蓋体１では、保持部材４は、蓋部２の外縁２ａに沿って環状に形成されており、複数（この例では、６つ）に分割されている。図７に示される蓋体１では、保持部材４は、蓋部２の外縁２ａに沿って環状に形成されており、一部が切り欠かれている。図８に示される蓋体１では、保持部材４は、蓋部２の外縁２ａに沿って環状に形成されており、複数（この例では、３つ）に分割されている。図９に示される蓋体１では、保持部材４は、蓋部２の外縁２ａに沿って環状に形成されており、複数（この例では、２つ）に分割されている。
【００３０】
図１０に示される蓋体１では、保持部材４は、その一部が蓋部２の外縁２ａに至る直線状に形成されている。図１１に示される蓋体１では、保持部材４は、その一部が蓋部２の外縁２ａに至るＬ字状に形成されている。図１２に示される蓋体１では、保持部材４は、その一部が蓋部２の外縁２ａに至るＸ字状に形成されている。
【００３１】
図１３に示される蓋体１では、保持部材４は、その一部が蓋部２の外縁２ａに至る三角形状に形成されている。図１４に示される蓋体１では、保持部材４は、その一部が蓋部２の外縁２ａに至る矩形状に形成されている。図１５に示される蓋体１では、保持部材４は、その一部が蓋部２の外縁２ａに至る六角形状に形成されている。その他、図１６及び図１７に示される蓋体１のように、保持部材４は、その一部が蓋部２の外縁２ａに至る様々な多角形状に形成されてもよい。
【００３２】
図１８、図１９及び図２０に示される蓋体１では、保持部材４は、上述した環状、線状、多角形状の組合せとして形成されている。
【００３３】
図２１及び図２２に示される蓋体１では、保持部材４は、蓋部２の全体に広がるように形成されており、少なくとも１つの円形状の孔４ｃを有している。図２３及び図２４に示される蓋体１では、保持部材４は、蓋部２の全体に広がるように形成されており、少なくとも１つの線状の孔４ｃを有している。図２５及び図２６に示される蓋体１では、保持部材４は、蓋部２の全体に広がるように形成されており、少なくとも１つの多角形状の孔４ｃを有している。
【００３４】
図２７に示される蓋体１では、保持部材４は、蓋部２の外縁２ａに至らない状態で円形状に形成されている。図２８に示される蓋体１では、保持部材４は、蓋部２の外縁２ａに至らない状態で線状に形成されている。
【００３５】
なお、図１１、図１３、図１４、図１５及び図１９に示される蓋体１は、円形状の蓋部２の外縁２ａ近傍に直線状部分を有するタイプである。図１０、図１２、図１８、図１９及び図２０に示される蓋体１は、円形状の蓋部２の中心部を通過し且つその中心部を挟んで対向する蓋部２の外縁２ａに至る直線状部分を有するタイプである。図２８に示される蓋体１は、円形状の蓋部２の中心部を通過し且つその中心部を挟んで対向する蓋部２の外縁２ａに至らない直線状部分を有するタイプである。図２１、図２２、図２３、図２４、図２５及び図２６に示される蓋体１は、複数の孔４ｃを有するタイプである。
【符号の説明】
【００３６】
１…蓋体、２…蓋部、２ａ…外縁、３…把持部、４…保持部材、４ａ…表面（蓋部側の表面）、４ｂ…表面（蓋部の反対側の表面）、５…第１粘着層、６…第２粘着層、１０…蓋体支持ユニット、１１…シート。
【図１】
2016169039.tif 000003
【図２】
2016169039.tif 000004
【図３】
2016169039.tif 000005
【図４】
2016169039.tif 000006
【図５】
2016169039.tif 000007
【図６】
2016169039.tif 000008
【図７】
2016169039.tif 000009
【図８】
2016169039.tif 000010
【図９】
2016169039.tif 000011
【図１０】
2016169039.tif 000012
【図１１】
2016169039.tif 000013
【図１２】
2016169039.tif 000014
【図１３】
2016169039.tif 000015
【図１４】
2016169039.tif 000016
【図１５】
2016169039.tif 000017
【図１６】
2016169039.tif 000018
【図１７】
2016169039.tif 000019
【図１８】
2016169039.tif 000020
【図１９】
2016169039.tif 000021
【図２０】
2016169039.tif 000022
【図２１】
2016169039.tif 000023
【図２２】
2016169039.tif 000024
【図２３】
2016169039.tif 000025
【図２４】
2016169039.tif 000026
【図２５】
2016169039.tif 000027
【図２６】
2016169039.tif 000028
【図２７】
2016169039.tif 000029
【図２８】
2016169039.tif 000030